(57)【特許請求の範囲】
【請求項１】
竿体にリールを脱着自在に装着するためのリールシートであって、
前記竿体の周面に固定され、前記リールの脚部の一端が載置される載置部分及び前記リール脚部の一端を覆うようにして係止可能な固定フード部分を有し、竿元側に位置する合成樹脂製の竿元側本体部と、
前記竿体の周面に固定され、前記リールの脚部の他端が載置される載置部分を有し、穂先側に位置する合成樹脂製の穂先側本体部と、
前記竿体の外径より大きい内径に設定されている略筒状の部材であって、竿元側部分が前記竿元側本体部に、穂先側部分が前記穂先側本体部に、前記竿体に直接に接することなく前記竿元側本体部と前記穂先側本体部とを連結するように固定されている金属製の外殻部と、
前記固定フード部分に対向して前記穂先側本体部上を軸方向に移動可能に配置され、前記リールの脚部の他端を覆うようにして係止可能な合成樹脂製の移動フード部と、
前記移動フードを任意の位置で固定可能な固定手段とを備え、
前記リール脚部を固定するために直接接触する前記固定フード部分、前記リールの脚部の他端が載置される載置部分及び前記移動フード部が、合成樹脂からなるため前記リールの脚部を傷付けない
ことを特徴とするリールシート。
【発明の詳細な説明】
【０００１】
【発明の属する技術分野】
本発明は、釣竿の竿体外周面に設けられリールを脱着自在に装着可能なリールシートに関する。
【０００２】
【従来の技術】
釣竿には、スピニングリール，両軸受けリール等の釣り用リールを取り付けるためのリールシートが設けられている。従来のリールシートの中で、例えば、「ナット式」と呼ばれるものは、釣用リールの脚部の一端を覆いながら係止する固定フードと雄ネジ部とを有する本体部と、移動フード部と、ナット部とを有している。この移動フード部はリールの脚部の他端を覆いながら係止する部分であり、シート本体に対して雄ねじ部上を軸方向に移動可能である。ナット部は雄ネジ部に螺合して移動フード部を移動させる。
【０００３】
このようなリールシートでは、リールの脚部の一端を本体部の固定フードに係止した状態でナット部を回転させて、移動フード部を固定フードに接近させて、移動フード部でリールの脚部の他端を係止してリールの脚部を挟持してリールを釣竿に固定する。
【０００４】
また、その他のタイプのリールシートとしては、レバーの起伏操作によって移動フード部を本体部上の任意の箇所で固定し、移動フード部と固定フード部分とでリールの脚部を挟み込んで固定可能とした「レバー式」と呼ばれるものもある。具体的には、本体部上にレール部分が構成され、このレール上には係止溝が設けられ、移動フード部がこのレール上を軸方向に滑動する。移動フード部には起伏可能なレバー体が設けられ、このレバー体の起伏操作によって移動フード部を係止溝に係止させ、移動フード部を任意の箇所で固定可能とするものである。
【０００５】
【発明が解決しようとする課題】
リールシートは竿体周面から張り出した部分であって障害物に接触して傷み易く、物理的耐久性に優れる金属を材質に用いるのが好ましい。また、リールシート部分は嗜好品である釣竿の外観の中で特に目立つ部分であり、意匠的観点から金属製のリールシートが好まれる。
【０００６】
しかし、釣竿のリールシートは、リールの脚部を載置しこれを挟み込んで固定するものであってリールと直接接触する部分であるから、リールを傷付けないようにするためにあまり硬い材質で構成したくない。このため、合成樹脂を材質に用いるのが好ましい。
【０００７】
また、近年の竿体は炭素繊維などの強化繊維に合成樹脂を含浸させた繊維強化樹脂素材から形成されるのが一般的であるが、金属からリールシートを形成してこれを竿体周面に固定し、金属と繊維強化樹脂とを直接接触させると、長期の使用によってリールシートを構成する金属の腐食が生じるおそれがある。さらに、リールシートを全て金属材料から形成すれば釣竿の重量化も引き起こす。
【０００８】
本発明の課題は、強度・意匠性に優れるとともに、リールの損傷，リール及びリールシートの腐食損傷を防止可能なリールシートを提供することにある。
【０００９】
【課題を解決するための手段】
発明１のリールシートは、竿体にリールを脱着自在に装着するためのリールシートであって、竿体の周面に固定されリールの脚部の一端が載置される載置部分及びリール脚部の一端を覆うようにして係止可能な固定フード部分を有し、竿元側に位置する合成樹脂製の竿元側本体部と、竿体の周面に固定され、リールの脚部の他端が載置される載置部分を有し、穂先側に位置する合成樹脂製の穂先側本体部と、竿体の外径より大きい内径に設定されている略筒状の部材であって、竿元側部分が前記竿元側本体部に、穂先側部分が前記穂先側本体部に、竿体に直接に接することなく竿元側本体部と穂先側本体部とを連結するように固定されている金属製の外殻部と、固定フード部分に対向して穂先側本体部上を軸方向に移動可能に配置され、リールの脚部の他端を覆うようにして係止可能な合成樹脂製の移動フード部と、移動フードを任意の位置で固定可能な固定手段とを備え、リール脚部を固定するために直接接触する固定フード部分、リールの脚部の他端が載置される載置部分及び移動フード部が、合成樹脂からなるため前記リールの脚部を傷付けないことを特徴とする。
【００１０】
このリールシートでは、リールの脚部の一端を固定フード部分に係止させながらリールの脚部を載置部分に配置する。そして、移動フード部を移動させながら移動フード部でリールの脚部の他端を係止し、固定手段で移動フード部を固定する。そして、固定フード部分と移動フード部とでリールの脚部を挟み込んで固定する。
【００１１】
このリールシートの外表は金属製の外殻部が形成しており、障害物がリールシートに接触してもリールシートは傷付きにくく、また外観にも優れる。一方で、竿体に直接に接しているのは合成樹脂製の本体部であり、金属製のリールの脚部も金属製の外殻部も竿体に直接接触しておらず、長期にわたって使用しても金属腐食が進みにくい。さらに、金属製のリールの脚部に直接に接する部分であって、特に力が加わる部分である移動フード部や固定フード部分が合成樹脂製であるので、リールシートがリールの脚部を傷付けてしまうことも防げる。
【００１３】
このように本体部を２つのパーツから構成することで、リールシートの軸方向の中間部分を中空化しリールシートの軽量化が可能となる。
【００１４】
【発明の実施の形態】
以下、本発明の実施形態について、図面を参照しつつ説明する。
本発明の実施形態の１つであるリールシート１は、図１及び図２に示すように、釣用リールの脚部１００を係止して釣竿に脱着自在に装着するためのものである。このリールシート１は、釣竿の竿体１０の外周面に固定される本体部２と、本体部２の外周上に配置され固定される外殻部３と、移動フード部４と、ナット部５とを有している。
【００１５】
本体部２は、内部に釣竿の竿体１０が貫通した状態で竿体１０の周面に装着される合成樹脂製（例えば、ABS樹脂等）変形筒状部材である。竿元側に位置する竿元側本体部２ａと穂先側に位置する穂先側本体部２ｂとの２つの別個のパーツから構成される。
【００１６】
竿元側本体部２ａは、図３に詳しく示すように、断面中央を軸方向に竿体１０が貫通する略筒状部材であって、リールシート１の竿元側の内部で基部となっている。穂先側部分が大径化し竿元側部分が比較的小径化した筒状の形状をなしている。穂先側の大径化した部分には、リールの脚部１００の一端が載置され且つこの一端を覆うようにして係止するための固定フード部分２０が形成されており、穂先側端面には後述の外殻部３を装着固定するための突起も形成されている。一方、竿元側の小径化した部分にはその外側を覆うようにポリウレタン等の弾性合成樹脂からなる手元グリップ２１が装着される。また、竿元側本体部２ａの内周面にはねじ溝が一部に形成され竿体１０と接着する際の接着剤の「溜まり」としている。
【００１７】
一方、穂先側本体部２ｂも、図２に示すように、断面中央を軸方向に竿体１０が貫通する略筒状部材であって、リールシート１の穂先側の内部で基部となっている。この穂先側本体部２ｂの竿元側はリールの脚部１００の他端が載置される載置部分２２となっており、この載置部分２２にはリールの脚部１００を載置した際の左右の位置決めをするための左右壁等が形成される。さらに竿元側端面には後述の外殻部３を装着固定するための突起も形成されている。また、穂先側本体部２ｂの穂先側の周面にはねじ山が形成されており、ここに後述するナット部５が螺合する。
【００１８】
外殻部３は、図２及び図４に詳しく示すように、リールシート１の外形を形作る部材であって、例えば、アルミニウム，スチール，チタン又はこれらの合金等からなる金属製の略筒状部材である。断面中央を軸方向に竿体１０が貫通することになるが、内径が竿体１０の外径より大きく設定され、相互に直接接触しないようになっている。
【００１９】
この外殻部３の竿元側部分を説明する。外殻部３の竿元側端面には固定孔３ａが形成されており、ここに竿元側本体部２ａの突起が挿入された状態で連結され固定される。また、外殻部３の竿元側部分は竿元側本体部２ａの穂先側部分全体を覆うようになっており、詳しくは竿元側本体部２ａの固定フード部分２０をも包み込む。さらに、この外殻部３の竿元側部分の一部は釣人が魚釣りの際に指を引っかけるためのトリガーも有している。
【００２０】
一方、この外殻部３の穂先側部分の端面にも必要な固定孔又は突起が形成されており、ここに穂先側本体部２ｂの突起が組み合わせて連結され固定される。この外殻部３の穂先側部分と竿元側部分との間の中間部分はなるべく軽量化のために中空とするのが好ましく、必要に応じて図１に示すような肉抜き穴などを形成してもよい。このように、外殻部３は、竿元側本体部２ａと穂先側本体部２ｂとをいわば橋脚として、これらを連結するようにして本体部２に固定されており、竿体１０に接触することなくリールシート１の外形全体を構成するのである。
【００２１】
移動フード部４は穂先側本体部２ｂ上に配置される短筒型の部材であり、竿元側にリールの脚部１００を受け入れる中空を有する合成樹脂製の部材である。例えば、穂先側本体部２ｂに軸方向に形成されるレール状の突起にのって周方向に回転不能且つ軸方向には移動可能となっている。そして、穂先側端面に連結フランジを有しこれを介してナット部５に連結されている。
【００２２】
ナット部５は、内周面にねじ山を有するナット部分２３とその外周面に配置されポリウレタン等の弾性合成樹脂からなる前グリップ部２４とからなる。ナット部分２３はその内周面にねじ山を有し、竿元側端部において前述の移動フード部４と相対的に回転可能に連結されている。そして、このナット部分２３は穂先側本体部２ａの穂先側の周面と螺合しており、ナット部５を周方向回転させることで移動フード部４を軸方向に移動させるとともに、任意の箇所で移動フード部４を固定する。
【００２３】
このように構成されるリールシート１では、以下のようにして、リールをリールシート１に装着する。まず、リールの脚部１００の一端を竿元側本体部２ａの固定フード部分２０に挿入して係止させながら、リールの脚部１００を載置部分に配置する。そして、ナット部５を回転させて移動フード部４を竿元側に移動させて移動フード部４でリールの脚部１００の他端を係止し、必要な軸方向位置において移動フード部４を固定する。そして、固定フード部分２０と移動フード部４とでリールの脚部１００を挟み込んで固定する。
【００２４】
このようなリールシート１の外表は金属製の外殻部３が形成しており、障害物がリールシート１に接触してもリールシート１は傷付きにくく、また、メタリックな外観を演出できる。一方で、竿体１０に直接に接しているのは合成樹脂製の竿元側本体部２ａと穂先側本体部２ｂとであって、これらをいわば橋脚にしており、金属製のリールの脚部１００も金属製の外殻部３も竿体１０に直接接触しない。さらに、金属製のリールの脚部１００を固定するために直接力がかけながら接触する部分（固定フード部分２０，穂先側の載置部分２２，移動フード部４等）は合成樹脂からなり、リールの脚部を傷付けてしまうこともない。
【００２５】
［他の実施形態］
（ａ）上記実施形態においては、いわゆる「ナット式」のリールシートを示しているが、「レバー式」のリールシートに適用することも可能である。
【００２６】
【発明の効果】
本発明に係るリールシートによれば、リールを十分に安定した状態で竿体に容易に取付可能であり、また、リール取付時にリール及びリールシートを破損することもない。
【図面の簡単な説明】
【図１】本発明の一実施形態を採用したリールシートの全体図。
【図２】図１のリールシート１付近の断面図。
【図３】図２の竿元側本体部２ａを示した図。
【図４】図２の外殻部３を示した図。
【符号の説明】
１ リールシート
２ａ 竿元側本体部
２ｂ 穂先側本体部
４ 移動フード部
５ ナット部
１００ リールの脚部
【図１】
0004730801.tif 000002
【図２】
0004730801.tif 000003
【図３】
0004730801.tif 000004
【図４】
0004730801.tif 000005